(57)【特許請求の範囲】
【請求項１】
洋風便器の左右両側に起立する、手摺部を有する一対の起立部材を、連結部材によって左右方向に相互に連結した手摺本体と、前記手摺本体に取り付けられ、前記手摺本体を前記洋風便器に固定する固定部材とを備えた介護用手摺であって、
前記固定部材が、前記連結部材の左右両端部に連設された、洋風便器の側面に向かって斜め上方に立ち上がって、前記洋風便器の左右両側の湾曲した上部外表面を斜め下方から押圧する一対の第一固定アームと、前記連結部材の左右両端部から延び出して、トイレの壁面を押圧する第二固定アームとを備えていることを特徴とする介護用手摺。
【請求項２】
前記手摺部は、把手部が前後に摺動することを特徴とする請求項１記載の介護用手摺。
【請求項３】
前記連結部材は、前記洋風便器における床固定部の前端上部を取り囲むように、前方に向かって斜め上方に立ち上がっていることを特徴とする請求項１又は２に記載の介護用手摺。
【発明の詳細な説明】
【発明の詳細な説明】
【技術分野】
【０００１】本発明は、洋風便器に取り付けることで、身体の不自由な方あるいは足腰の弱い老人の用便動作を助けることのできる介護用手摺、特に、洋風便器に対する固定性能に優れた介護用手摺に関する。
【背景技術】
【０００２】既設の洋風便器に取り付ける洋風便器用手摺としては、例えば、実開平５−２３９９７号公報に開示されたものがある。【０００３】この洋風便器用手摺は、床に設置された洋風便器の左右両側に起立状態に配設される、金属パイプを矩形状に屈曲させた一対の枠体を備えており、この枠体は、その上方に手摺部を有している。【０００４】左右一対の前記枠体は、洋風便器の床固定部の前方下部を左右に横切るように配設された金属パイプからなる連結部材と、洋風便器の上部後方側に配設された金属パイプからなる連結部材とによって、それぞれ左右方向に相互に連結されており、この連結部材によって、前記枠体が起立状態に保持されている。【０００５】また、前記枠体の前後の縦パイプには、それぞれ上下方向に一定間隔で３個のねじ孔が形成されており、この３個のねじ孔のいずれか一つに横桟がねじ止めされている。また、この横桟には、前後方向に一定間隔で複数のねじ孔が形成されており、いずれかのねじ孔にねじ込むことで、左右方向に移動する雄ねじ付きの固定棒が取り付けられている。そして、この固定棒により、洋風便器の床固定部の側面を左右両側から挟み込んで水平方向に押圧することにより、洋風便器用手摺全体が洋風便器に固定されるようになっている。【０００６】従って、前記固定棒による洋風便器への押圧位置が適切でない場合は、前記横桟の取付け位置を上下に移動させたり、前記固定棒をねじ込むねじ孔を変えることにより、洋風便器の床固定部の側面形状に合わせて適当な部分を押圧することができる。
【発明が解決しようとする課題】
【０００７】ところで、上述したような洋風便器用手摺では、洋風便器の床固定部の側面を左右から挟み込んで押圧するようにしているため、取り付けられた洋風便器用手摺の左右方向の位置ズレやがたつきは押えられるが、上下方向には全く固定されていないため、手摺部を持って座ったり、立ち上がったりする際に、洋風便器用手摺自体が上下方向にがたつくといった問題がある。
【０００８】また、洋風便器の床固定部の側面形状は、製造メーカーや洋風便器の種類によって大きく異なるため、洋風便器用手摺を取り付けようとする洋風便器によって、前記横桟の高さ位置や前記固定棒の取付け位置を調整しなければならず、洋風便器への固定作業が繁雑になるといった問題もある。
【０００９】そこで、本発明の課題は、洋風便器に取り付けた状態でがたつきがなく、洋風便器への固定作業も簡単に行える洋風便器用手摺を提供することにある。
【課題を解決するための手段】
【００１０】
上記の課題を解決するため、請求項１に係る発明は、洋風便器の左右両側に起立する、手摺部を有する一対の起立部材を、連結部材によって左右方向に相互に連結した手摺本体と、前記手摺本体に取り付けられ、前記手摺本体を前記洋風便器に固定する固定部材とを備えた介護用手摺であって、前記固定部材が、前記連結部材の左右両端部に連設された、洋風便器の側面に向かって斜め上方に立ち上がって、前記洋風便器の左右両側の湾曲した上部外表面を斜め下方から押圧する一対の第一固定アームと、前記連結部材の左右両端部から延び出して、トイレの壁面を押圧する第二固定アームとを備えていることを特徴とする介護用手摺を提供するものである。
また、請求項２に係る発明は、請求項１に係る発明の介護用手摺において、前記手摺部の把手部が前後に摺動することを特徴としている。
さらに、請求項３に係る発明は、請求項１または２に係る発明の介護用手摺において、前記連結部材が、前記洋風便器における床固定部の前端上部を取り囲むように、前方に向かって斜め上方に立ち上がっていることを特徴としている。
【００１１】
以上のように構成された介護用手摺では、手摺本体を構成している連結部材の左右両端部に連設された第一固定アームが洋風便器の湾曲した上部外表面を斜め下方から押圧するので、手摺本体が洋風便器の左右方向に固定されるだけでなく、手摺本体が便所の床面に押しつけられる。
【００１２】また、洋風便器の湾曲した上部外表面は、製造メーカーや洋風便器の種類によって大きく異なることがないので、第一固定アームによる押圧位置の調整を行わなくても概ね安定した固定状態を得ることができる。
【００１３】
さらに、手摺本体を構成している連結部材の左右両端部から延び出す第二固定アームがトイレの側壁面を押圧するので、洋風便器にかかる負荷を軽減できるだけでなく、立ち上がる際に手摺本体の後方が浮き上がることがなくなり、前方への倒れを防止できる。後方への倒れ防止は、前方斜め上方に向かって形成された連結部材が洋風便器の前方下部に当接するので後方へ倒れることはない。
【００１４】本発明では、手摺の把手部が前後に摺動するので、把手部を後退させると車椅子からの移動がスムースに行え、把手部を前方へ前進させて固定すると立ち上がりが楽に行える。
【発明を実施するための形態】
【００１５】以下、実施の形態について図面を参照して説明する。図１に示す介護用手摺１は、便所の床に固定設置された洋風便器Ｘの左右両側の床面に起立する起立部材１０と、洋風便器Ｘの下部前方側で前記起立部材１０を相互に連結する連結部材２０とからなる手摺本体１ａと、この手摺本体１ａ前記連結部材２０に取り付けられた固定部材３０とから構成されている。
【００１６】前記起立部材１０は、洋風便器Ｘの左右両側に配置される一対の基台部１１と、この基台部１１から立ち上がる支柱１２と、この支柱１２の上端に取り付けられた手摺部１６とから構成されており、前記基台部１１及び支柱１２は、金属製の角パイプによって形成されている。
【００１７】前記支柱１２は、前記基台部１１に固着された下部支柱１３と、この下部支柱１３にその上端側から差し込まれて、下部支柱１３内を上下にスライドする上部支柱１４とから構成されており、この上部支柱１４の上端部に前記手摺部１６が固定されている。
【００１８】また、前記下部支柱１３の外側面には孔１３ａが形成されており、前記上部支柱１４の外側面下端部に形成されたねじ孔（図示せず）にノブボルト１５または固定ネジ（図示しない）をねじ込んで締め付けることにより、前記上部支柱１４を任意の高さに固定することができるようになっている。あるいは、下部支柱１３と上部支柱１４に小孔を設け固定ピンを両小孔に差し込むことにより、上部支柱１４を段階的に高さ調整することもできる。
【００１９】前記連結部材２０は、固定設置された洋風便器Ｘの床固定部の前部から両側部に渡ってその周囲を取り囲むように、前方左右方向に水平フレーム２０ａが形成され、該水平フレーム２０ａの両端から後方向に斜めフレーム２０ｂが形成され、該斜めフレーム２０ｂの端部からトイレの側壁面に向かって一対の下部水平フレーム２０ｃが形成されている。連結部材２０は金属製の角パイプによって作られ、下部水平フレーム２０ｃが前記下部支柱１３に溶接され固定している。斜めフレーム２０ｂは図３に示すように下部水平フレーム２０ｃ上に立設された支持フレーム２０ｄと下部支柱１３に溶接して固定されている。
【００２０】
前記固定部材３０は、前記手摺本体１ａの左右両側から洋風便器Ｘの側面に向かって斜め上方に立ち上がって、前記洋風便器Ｘの左右両側の湾曲した上部外表面を斜め下方から押圧する一対の第一固定アーム３１と、トイレの側壁面を押圧する第２固定アーム３２とからなる。第一固定アーム３１は、前記連結部材２０の下部水平フレーム２０ｃに洋風便器Ｘに向かって斜め上方の方向に溶接して固定されている一対のベースフレーム３１ａと、該ベースフレーム３１ａ内に挿入されて摺動するアーム３１ｂと、このアーム３１ｂの先端に取り付けられ、洋風便器Ｘの湾曲した上部外表面に当接して押圧する押圧部３１ｃとから構成されており、このアーム３１ｂの先端部に前記押圧部３１ｃが取り付けられている。前記ベースフレーム３１ａとアーム３１ｂは、金属製の角パイプによって形成されている。
【００２１】一対のベースフレーム３１ａの側面には軸線方向に長孔３１１が形成され、この長孔３１１を通してノブボルトを、アーム３１ｂに設けられているネジ穴（図示しない）にねじ込んで締め付けることにより、前記長孔３１１の長さの範囲内で前記アーム３１ｂを任意の位置に固定することができるようになっている。従って、アーム３１ｂの固定位置を変えることで、前記アーム３１ｂを伸縮させることができる。
【００２２】前記押圧部３１ｃは、押圧体とボルト体とからなりボルト体の先端に押圧体がフレキシブルに取り付けられていて、洋風便器の外表面とある程度の自由度を持ってその接触角度を調整できるようになっている。
【００２３】第２固定アーム３２は、前記下部水平フレーム２０ｃと、該下部水平フレーム２０ｃ内に挿入されて摺動するアーム３２ａと、このアーム３２ａの先端に取り付けられトイレの側壁面に当接して押圧する押圧部３２ｂとから構成されており、このアーム３２ａの先端部に前記押圧部３２ｂが取り付けられている。前記下部水平フレーム２０ｃとアーム３２ａは、金属製の角パイプによって形成されている。
【００２４】一対の下部水平フレーム２０ｃの側面には軸線方向に長孔３２１が形成され、この長孔３２１を通してノブボルト（図示しない）を、アーム３２ａに設けられているネジ穴（図示しない）にねじ込んで締め付けることにより、前記長孔３２１の長さの範囲内で前記アーム３２ａを任意の位置に固定することができるようになっている。従って、アーム３２ａの固定位置を変えることで、前記アーム３２ａを伸縮させることができる。
【００２５】手摺部４は、角筒状の下台４１と、該下台４１内に挿入されてスライドする角筒状のスライド部材４２と、該スライド部材４２に固定されている把手部４３とからなり、下台４１の上面に長孔４２１が軸線方向形成されており、把手部４３下部に形成された支軸４３１がこの長孔４２１を挿通してスライド部材４２に固定されている。したがって、スライド部材４２と把手部４３は下台４１の軸線方向、即ち前後方向に摺動する。下台４１は上部支柱１４に溶接して固定されている上部水平フレーム４４に溶接して固定されている。上部水平フレーム４４にはスライド部材４２をロックするためのロック部材４５が設けられ、ロック部材４５は上部水平フレーム４４に軸４４１を中心に回動するよう取り付けられている。ロック部材４５の先端がスライド部材４２の前後に設けられた２か所の長孔４２１に挿入されてロックされる。レバー部分４５１を下台４１方向に回動させるとロックは解除される。
【００２６】以上のように、この介護用手摺１は、洋風便器Ｘの側面に向かって斜め上方に立ち上がる第一固定アーム３１によって、洋風便器Ｘの左右両側の湾曲した上部外表面をそれぞれ斜め下方から押圧するようにしているので、左右方向の位置ズレやがたつきが阻止されるだけでなく、その反力によって、洋風便器用手摺１自体が便所の床面に押しつけられる。また、トイレの側壁面を押圧する第２固定アーム３２によって、洋風便器Ｘにのみ負担をかけることがなく介護用手摺１が固定できる。それゆえ前側に位置している手摺部に力がかかった場合でも、介護用手摺１の後端部が持ち上がったりすることがなく、安定した設置状態が確保される。
【００２７】洋風便器Ｘの前方を横切る連結部材２０を屈曲させることによって、洋風便器Ｘの前後方向の中央部付近に後退させるようにしたため、洋風便器Ｘの床固定部の前側周辺部分に障害物がなくなり、足腰の弱い老人が洋風便器から立ち上がるために、いずれか一方の足を後方側に移動させるという立ち上がり動作を行った場合でも、その移動領域が充分に確保されているので、足腰の弱い老人が洋風便器Ｘからスムースに立ち上がることができる。
【発明の効果】
【００２８】以上のように、本発明の介護用手摺は、手摺本体に取り付けた第一の固定アームと第二の固定アームによって洋風便器の湾曲した上部外表面を斜め下方から押圧し、更にトイレの側壁面を押圧することで、手摺本体を固定することにしたので、手摺本体が洋風便器の左右方向に固定されるだけではなく、上下方向にも固定され、洋風便器に取り付けた状態で介護用手摺が位置ズレしたり、がたついたりすることがない。
【図面の簡単な説明】
【図１】本発明にかかる介護用手摺の一実施形態を示す斜視図である。
【図２】同上の手摺り部の斜視図である。
【図３】同上の一部拡大図である。
【図４】同上の平面図である。
【図５】同上の底面図である。
【図６】同上の手摺り部を上げた状態を示す側面図である。
【符号の説明】１  介護用手摺
４  手摺部
１０  起立部材
１１  基台部
１２  支柱
１３  下部支柱
１４  上部支柱
２０  連結部材
３０  固定部材
３１  第一固定アーム
３２  第二固定アーム
３１ｃ  押圧部
Ｘ  洋風便器
【図１】
0005524690.tif 000002
【図２】
0005524690.tif 000003
【図３】
0005524690.tif 000004
【図４】
0005524690.tif 000005
【図５】
0005524690.tif 000006
【図６】
0005524690.tif 000007